(57)【要約】【課題】押えボタンの操作により、各貯蔵室に貯蔵された第１剤及び第２剤の薬剤を混合させた状態でブラシの歯を通じて排出させることができ、二つの薬剤を一回の作業で混合して、髪にブラシを入れるだけで染色又は脱色ができ、手数を減らして容易に染色又は脱色できるブラシを提供する。【解決手段】薬剤噴出装置付きブラシは、押えボタン１８を押圧すると、押えボタン１８の各レバー２８，２８が下向に回転してブロック１５，１５を押圧し、ブロック１５は下側に挿入されたタンク１１のノズル１１ｂを加圧する。これにより、ノズル１１ｂが下方に移動し、各貯蔵タンク１１内に貯蔵された薬剤がブロック１５内に排出され、集液部材１６の出口２４で混合され、続いて案内パイプ１７，導管及び支管を経由して薬剤排出用のブラシ歯の出口を通じて排出され、これによって、混合薬剤が染色者の髪に供給される。【選択図】　　　図３
0003097586.tif 000002
【実用新案登録請求の範囲】
【請求項１】
第１剤及び第２剤の各薬剤を収納した一対の貯蔵室を備えるとともに、これら一対の各貯蔵室の出口にノズルを突出させるように設け、外部からの加圧により貯蔵室に納められた各薬剤を排出させる貯蔵タンクと、
前記ノズルと連通する流路を備え、押えボタンが押圧されることにより当該ノズルを加圧し、貯蔵タンク内の各薬剤を排出させるノズル加圧手段と、
前記ノズル加圧手段を覆うように取り付けられ、一側面に当該ノズル加圧手段の流路と連通する中空状の複数のブラシ歯を備え、貯蔵タンクから排出される薬剤を前記ブラシ歯に案内し、当該ブラシ歯の出口から薬剤を排出させるブラシヘッドと、
を備えることを特徴とする薬剤噴出装置付きブラシ。
【請求項２】
前記ノズル加圧手段は、
前記貯蔵タンクの各栓が挿入できるように各栓に対応して形成された案内穴を貫通させて当該貯蔵タンクの出口近傍に組み立てられるハウジングと、
前記貯蔵タンクのノズルから排出される薬剤が流れる、底面及び側面に連通した案内流路を有し、当該案内流路の底面側入口には貯蔵タンクの各ノズルが挿入されるとともに、当該案内流路の側面側出口には排出管が突出する一対のブロックと、
前記各ブロックの排出管に対応して両側面に貫通する流路と、この流路に連通して上面側に開口する出口を備え、各ブロックを通じて流れる薬剤を集めて前記出口に排出させる集液部材と、
前記集液部材の出口に繋がれ、この出口を通じて排出される薬剤をブラシヘッドに案内する案内パイプと、
中央に押え片を有するとともに、両端部にレバーを有し、各レバーが前記一対の各ブロックの上部に位置することにより、押え片が押圧されると、各レバーが対応する各ブロックを加圧して貯蔵タンクの各ノズルを押圧し、当該貯蔵タンク内の薬剤を排出させる押えボタンと、
を備える請求項１記載の薬剤噴出装置付きブラシ。
【請求項３】
前記ノズル加圧手段は、
前記貯蔵タンクの各栓が挿入できるように各栓に対応して形成された案内穴を貫通させて当該貯蔵タンクの出口近傍に組立てられるハウジングと、
上端部外側面に収容溝を有するとともに、前記貯蔵タンクのノズルから排出される薬剤が流れる、底面及び側面が連通した案内流路を有し、当該案内流路の底面側入口には貯蔵タンクの各ノズルが挿入されるとともに、当該案内流路の側面側出口には排出管を突出する一対のブロックと、
ボディ及びボディ両側に突出する一対のアームを有し、各アームの端部底面には前記ブロックの収容溝に挿入される掛け顎が設けられ、ボディには、前記一対の各ブロックの排出管に対応して両側面に貫通する流路と、この流路に連通し、当該流路より広く上面側に開口する出口を備え、各ブロックを通じて流れる薬剤を集めて前記出口に排出させる集液部材と、
下部が前記集液部材の出口に挿入されることにより当該出口に繋がれ、この出口を通じて排出される薬剤をブラシヘッドに案内する案内パイプと、
中央には押え片を有するとともに、両端部にレバーを有し、各レバーが前記一対の各ブロックの上部に位置することにより、押え片が押圧される、各レバーが対応する各ブロックを加圧して貯蔵タンクの各ノズルを押圧し、当該貯蔵タンクの薬剤を排出させる押えボタンと、
を備える請求項１記載の薬剤噴出装置付きブラシ。
【請求項４】
前記ブラシヘッドは、
下部に開口部を有するとともに、下部一側面に押えボタンの押え片を突出させる案内穴が形成されたボディと、
このボディ上部の一側面に複数突設される髪櫛入れ用の複数のブラシ歯と、
このブラシ歯が備えられる側面に形成される、薬剤排出用のブラシ歯が挿入される収納溝と、
この収納溝とボディ下部の開口部の間に配設される、前記案内パイプと繋がれる導管と、
中空形状で複数突設され、所定位置で内部と貫通されるように少なくとも一つ以上の出口を有し、前記ボディの収納溝に着脱可能に組立てられて当該収納溝を通じて流れる薬剤を前記出口から排出させる薬剤排出用のブラシ歯と、
を有する請求項１記載の薬剤噴出装置付きブラシ。
【請求項５】
前記一対のブロックの両案内流路は、高さが段差をなすように互いにずれて設けられる請求項２記載の薬剤噴出装置付きブラシ。
【請求項６】
前記集液部材は、前記出口が半円形状に形成されるとともに、前記ボディの一側面に、一のブロックの排出管が挿入されて半円形状の出口と連通する一の通路が形成され、当該ボディの他側面に、他のブロックの排出管が挿入されて半円形状の出口と連通する他の通路が、前記一の通路とずれる位置に形成され、
この集液部材の出口が、当該集液部材に連通される前記ブロックの案内流路及び前記案内パイプの内径より大径の拡大管として配設され、薬剤の排出経路が縮小管，拡大管，縮小管の順に構成される請求項３記載の薬剤噴出装置付きブラシ。
【請求項７】
前記ノズル加圧手段は、
前記押えボタンの押圧により、前記集液部材の両側に組立てられるブロックが均一に押圧されるように、当該集液部材を支える支え部材が、前記ブラシヘッドの内壁に引っ掛けて取り付けられる請求項３記載の薬剤噴出装置付きブラシ。
【請求項８】
前記薬剤排出用のブラシ歯に形成される出口が、
前記ボディの下部開口側からブラシほぼ中央部分までのブラシ歯において、隣接するブラシ歯に連続して出口が形成されないように交互に形成される請求項４記載の薬剤噴出装置付きブラシ。
【考案の詳細な説明】
【０００１】
【考案の属する技術分野】
本考案は、一対の貯蔵室に貯蔵された第１剤及び第２薬剤を同時に排出させることにより髪に染色又は脱色が行えるようにした薬剤噴出装置付きブラシに関し、特に、押えボタンの操作により各貯蔵室に貯蔵された第１剤及び第２の薬剤を混合させた状態でブラシの歯を通じて排出させることにより、髪に櫛を入れるだけで簡単に染色又は脱色が行える薬剤噴出装置付きブラシに関する。
【０００２】
【従来の技術】
一般に、髪に好みのカラーを表すために、髪に染色や脱色を行い、また、脱色の行われた髪に染色が行われる。この場合、染色又は脱色用に第１剤と第２剤とに分けられた薬剤を、第１剤と第２剤の順に使用し、又は第１剤と第２剤を容器で混合させた後に、染色又は脱色が行われる。
このような従来の染色又は脱色方法は、第１剤と第２剤の薬剤が納められた各々のチューブから各薬剤を容器に排出させて混合し、その後、櫛やブラシなどを使って混合薬剤を使用者の髪に均一に塗布することにより行われていた。
【０００３】
しかしながら、このような従来方法では、第１剤と第２剤の薬剤を使って染色又は脱色を行う際に、容器等の器具を使って混合させなければならないので、作業が煩雑で、また、使用後、容器に残った混合薬剤は再使用できず、薬剤が無駄になるという問題があった。
また、チューブに残った未混合の薬剤も、空気に接触すると黒く変色してしまう、長期間の保管はできず、チューブ開封後はほぼ１ヶ月以内に使い切らなければならないという問題もあった。
さらに、混合薬剤を櫛等で掬い取って髪に塗布する従来方法は、一人で行うことが困難で、通常は、他人の助けを受けなければ染色又は脱色を行えないという難点もあった。
【０００４】
そこで、このような問題を解決するため、例えば、韓国実用新案公告第１９９７−１２９９号に開示されているように、薬剤缶（１０）にブラシ（１）を固定させてボタン（４）を押下することにより、薬剤缶（１０）内の薬剤がブラシ（１）に排出されるようにした染色又は脱色に関する技術が開発されるようになった。
これによれば、薬剤缶（１０）とブラシ（１）の歯が一体的に構成され、薬剤缶（１０）から薬剤をブラシ（１）に排出させることで、髪に櫛を入れるだけでも染色又は脱色が行え、使用者は一人で染色又は脱色を行えるようになった。
【０００５】
【考案が解決しようとする課題】
しかしながら、この従来技術では、ブラシには一度に一種類の薬剤しか排出できないため、実際に染色又は脱色を行う際には、第１剤と第２剤の薬剤を順番に使用しなければならなかった。このため、第１剤と第２剤の薬剤を段階的に塗布しなければならず、不便さ，煩雑さの問題が残った。
これまで、染色又は脱色に使用する薬剤として、第１剤と第２剤の薬剤に代わる単一の薬剤は開発されておらず、第１剤と第２剤の薬剤を容易かつ同時に使用して染色又は脱色できる手段の開発が切に要望されていた。
【０００６】
本考案は、以上のような従来の問題を解決するために開発されたものであり、押えボタンの操作により、一対の貯蔵室に貯蔵された第１剤及び第２剤の薬剤を混合させた状態でブラシの歯を通じて排出させることにより、薬剤を混合したり順番に使用することなく、櫛を髪入れるだけで簡単に染色又は脱色が行える薬剤噴出装置付きブラシの提供を目的とする。
【０００７】
【課題を解決するための手段】
前記目的を達成するため、本考案の薬剤噴出装置付きブラシは、請求項１に記載するように、第１剤及び第２剤の各薬剤を収納した一対の貯蔵室を備えるとともに、これら一対の各貯蔵室の出口にノズルを突出させるように設け、外部からの加圧により貯蔵室に納められた各薬剤を排出させる貯蔵タンクと、前記ノズルと連通する流路を備え、押えボタンが押圧されることにより当該ノズルを加圧し、貯蔵タンク内の各薬剤を排出させるノズル加圧手段と、前記ノズル加圧手段を覆うように取り付けられ、一側面に当該ノズル加圧手段の流路と連通する中空状の複数のブラシ歯を備え、貯蔵タンクから排出される薬剤を前記ブラシ歯に案内し、当該ブラシ歯の出口から薬剤を排出させるブラシヘッドと、を備える構成としてある。
【０００８】
そして、前記ノズル加圧手段は、請求項２に記載するように、前記貯蔵タンクの各栓が挿入できるように各栓に対応して形成された案内穴を貫通させて当該貯蔵タンクの出口近傍に組み立てられるハウジングと、前記貯蔵タンクのノズルから排出される薬剤が流れる、底面及び側面に連通した案内流路を有し、当該案内流路の底面側入口には貯蔵タンクの各ノズルが挿入されるとともに、当該案内流路の側面側出口には排出管が突出する一対のブロックと、前記各ブロックの排出管に対応して両側面に貫通する流路と、この流路に連通して上面側に開口する出口を備え、各ブロックを通じて流れる薬剤を集めて前記出口に排出させる集液部材と、前記集液部材の出口に繋がれ、この出口を通じて排出される薬剤をブラシヘッドに案内する案内パイプと、中央に押え片を有するとともに、両端部にレバーを有し、各レバーが前記一対の各ブロックの上部に位置することにより、押え片が押圧されると、各レバーが対応する各ブロックを加圧して貯蔵タンクの各ノズルを押圧し、当該貯蔵タンク内の薬剤を排出させる押えボタンと、を備える構成としてある。
【０００９】
また、前記ノズル加圧手段は、請求項３に記載するように、前記貯蔵タンクの各栓が挿入できるように各栓に対応して形成された案内穴を貫通させて当該貯蔵タンクの出口近傍に組立てられるハウジングと、上端部外側面に収容溝を有するとともに、前記貯蔵タンクのノズルから排出される薬剤が流れる、底面及び側面が連通した案内流路を有し、当該案内流路の底面側入口には貯蔵タンクの各ノズルが挿入されるとともに、当該案内流路の側面側出口には排出管を突出する一対のブロックと、ボディ及びボディ両側に突出する一対のアームを有し、各アームの端部底面には前記ブロックの収容溝に挿入される掛け顎が設けられ、ボディには、前記一対の各ブロックの排出管に対応して両側面に貫通する流路と、この流路に連通し、当該流路より広く上面側に開口する出口を備え、各ブロックを通じて流れる薬剤を集めて前記出口に排出させる集液部材と、下部が前記集液部材の出口に挿入されることにより当該出口に繋がれ、この出口を通じて排出される薬剤をブラシヘッドに案内する案内パイプと、中央には押え片を有するとともに、両端部にレバーを有し、各レバーが前記一対の各ブロックの上部に位置することにより、押え片が押圧される、各レバーが対応する各ブロックを加圧して貯蔵タンクの各ノズルを押圧し、当該貯蔵タンクの薬剤を排出させる押えボタンと、を備える構成とすることもできる。
【００１０】
また、前記ブラシヘッドは、請求項４に記載するように、下部に開口部を有するとともに、下部一側面に押えボタンの押え片を突出させる案内穴が形成されたボディと、このボディ上部の一側面に複数突設される髪櫛入れ用の複数のブラシ歯と、このブラシ歯が備えられる側面に形成される、薬剤排出用のブラシ歯が挿入される収納溝と、この収納溝とボディ下部の開口部の間に配設される、前記案内パイプと繋がれる導管と、中空形状で複数突設され、所定位置で内部と貫通されるように少なくとも一つ以上の出口を有し、前記ボディの収納溝に着脱可能に組立てられて当該収納溝を通じて流れる薬剤を前記出口から排出させる薬剤排出用のブラシ歯と、を有する構成とすることができる。
【００１１】
また、前記一対のブロックの両案内流路は、請求項５に記載するように、高さが段差をなすように互いにずれて設けられる構成とすることができる。
また、前記集液部材は、前記出口が半円形状に形成されるとともに、前記ボディの一側面に、一のブロックの排出管が挿入されて半円形状の出口と連通する一の通路が形成され、当該ボディの他側面に、他のブロックの排出管が挿入されて半円形状の出口と連通する他の通路が、前記一の通路とずれる位置に形成され、この集液部材の出口が、当該集液部材に連通される前記ブロックの案内流路及び前記案内パイプの内径より大径の拡大管として配設され、薬剤の排出経路が縮小管，拡大管，縮小管の順に構成されるにすることができる。
【００１２】
また、前記ノズル加圧手段は、請求項７に記載するように、前記押えボタンの押圧により、前記集液部材の両側に組立てられるブロックが均一に押圧されるように、当該集液部材を支える支え部材が、前記ブラシヘッドの内壁に引っ掛けて取り付けられる構成とすることができる。
さらに、前記薬剤排出用のブラシ歯に形成される出口は、請求項８に記載するように、前記ボディの下部開口側からブラシほぼ中央部分までのブラシ歯において、隣接するブラシ歯に連続して出口が形成されないように交互に形成される構成とすることができる。
【００１３】
【考案の実施の形態】
以下、添付図面を基づき本考案の薬剤噴出装置付きブラシの好ましい実施形態を詳細に説明する。
図１は、本考案の一実施形態に係る薬剤噴出装置付きブラシの斜視図であり、図２は、同じ正面図である。
図３は、本考案の薬剤噴出装置付きブラシの内部に備えられるノズル加圧手段の第一実施形態を示す分解斜視図である。
図４は、本考案の第一実施形態に係るノズル加圧手段の組立正面断面図であり、図５は、図４に示すノズル加圧手段の要部断面図である。
【００１４】
これらの図に示すように、本考案の薬剤噴出装置付きブラシ１０は、第１剤及び第２剤の各薬剤を収納した一対の貯蔵室１１ａ，１１ａからなる貯蔵タンク１１と、この貯蔵タンク１１のノズル１１ｂと連通される流路を備え、使用者が押えボタンを操作すると、ノズル１１ｂを加圧すことにより貯蔵タンク１１内の各薬剤を排出させるノズル加圧手段１２と、ノズル加圧手段１２を覆うように取り付けられ、一側面にノズル加圧手段１２の流路と連通される複数のブラシ歯を有し、貯蔵タンク１１から排出される薬剤をブラシ歯に案内するブラシヘッド１３とを有する。
【００１５】
薬剤を貯蔵，収納した貯蔵タンク１１は、第１剤と第２剤の各薬剤をそれぞれ収納，貯蔵できるように二つの貯蔵室１１ａ，１１ａが別々に設けられ、上部の出口が栓１１ｃで開閉するようになっている。この栓１１ｃには、薬剤の排出のためのノズル１１ｂが突出して設けられている。
ノズル１１ｂは、上下に移動できるように構成され、下方に移動する時は、ノズル加圧手段１２の加圧力によって下方に移動すると、タンク内の薬剤を排出させ、加圧が解除されて元の位置へ戻ると、薬剤の排出を停止するようになる。
なお、このような貯蔵タンク１１のノズル１１ｂの構成は、一般的な容器、例えば、携帯用ガス容器のノズルなどの構成と同一であるので、ここでは詳細な説明は省略する。
【００１６】
貯蔵タンク１１内の薬剤を排出させるノズル加圧手段１２の第一実施形態を図３〜図７に示す。
これらの図に示すように、ノズル加圧手段１２は、ハウジング１４と、ハウジング１４内に納められ、内部に形成された流路が各貯蔵タンク１１のノズル１１ｂと繋げられる一対のブロック１５，１５と、一対の各ブロック１５を通じて排出される薬剤を集める集液部材１６と、集液部材１６に集められる薬剤をブラシヘッド１３に案内する案内パイプ１７と、薬剤を排出するために設けられた、本体から突出する押えボタン１８を備えている。
ハウジング１４は、貯蔵タンク１１（１１ａ，１１ａ）の各栓１１ｃを挿入できるように、これら各栓１１ｃに対応した案内穴１４ａを貫通させて、貯蔵タンク１１の出口部分近傍に組立てられるようになっている。
このハウジング１４内に、ブロック１５と集液部材１６が納められる。
【００１７】
ブロック１５は、内部に形成された流路が各貯蔵タンク１１のノズル１１ｂと繋がれる一対のブロック１５，１５からなる。
集液部材１６は、一対のブロック１５，１５の間に配設され、各ブロック１５の出口と繋がれるようになっており、ブロック１５を通じて流れる薬剤が集液部材１６で集められて混合状態で排出される。
案内パイプ１７は、集液部材１６の出口に繋がれ、集液部材１６の出口を通じて排出される薬剤をブラシヘッド１３に案内する。
押えボタン１８は、一対のブロック１５の上に搭載され、各ブロック１５を加圧することにより貯蔵タンク１１のノズル１１ｂを押圧して薬剤を排出させるボタンである。
【００１８】
一対の各ブロック１５には、図４，図５に示すように、貯蔵タンク１１のノズル１１ｂから排出される薬剤が流れるように、それぞれブロック底面側から側面側に連通された案内流路１９が設けられており、図３に示すように、案内流路１９が連通された側面側の出口には排出管２０が突設されている。
各ブロック１５の排出管２０の下側には、集液部材１６の底面を支える掛け顎２１が設けられ、また、各ブロック１５の上部には、集液部材１６が安定的に搭載される支え部２２が設けられている。
【００１９】
このように構成されたブロック１５は、案内流路１９のブロック底面側の入口に各タンク１１のノズル１１ｂが挿入されるとともに、側面側に突出する排出管２０が集液部材１６の側面入口に挿入されることにより、集液部材１６と一体的に薬剤の流路が形成される。
ここで、一対のブロック１５は、図５に示すように、各排出管２０の高さが一致しないように、各ブロック１５の案内流路１９が段差Ｃをもって形成されている。これにより、段差をもって形成された案内流路１９から排出される薬剤が、集液部材１６で円滑に混合されるようになる。
【００２０】
集液部材１６は、図４及び図５に示すように、一対の各ブロック１５の排出管２０と対応するように、両側面に入口２３を貫通させて流路が形成され、この流路が入口２３から上面側に開口する出口２４まで連通するようになっている。これにより、各ブロック１５を通じて流れる薬剤を流路に集めて排出させるようになっている。
集液部材１６の出口２４の直径は、入口２３の直径より大きく形成され、薬剤の混合が円滑に行われるようになっている。また、この出口２４には、案内パイプ１７を締結できるように、ネジ山が形成してある。
集液部材１６のボディ両側には、ブロック１５の支え部２２に安定的に搭載されるアーム１６ａ，１６ａが突出している。
【００２１】
案内パイプ１７には、図３に示すように、集液部材１６に安定的に取り付けられる板状の支え板２５が設けられ、この支え板２５の下側には、集液部材１６の出口に螺合，締結できるように、ネジ山をなす締結部２６が突設されている。
この案内パイプ１７が集液部材１６の出口２４に繋がれることによって、集液部材１６を介して集液，混合されて排出される薬剤がブラシヘッド１３に案内されることになる。
【００２２】
押えボタン１８は、図３に示すように、中央に押え片２７を備えるとともに、その両端部に一対の各ブロック１５に対応して一対のレバー２８，２８が突設されている。
このような押えボタン１８を備えることにより、使用者が押え片２７を押圧すると、両端のレバー２８が回転してブロック１５を下方に移動させ、これによって、貯蔵タンク１１から薬剤が排出されることになる。
【００２３】
ここで、ノズル加圧手段１２は、図３〜図７で示した第一実施形態の構成に替えて、他の構成とすることもできる。図８〜図１２に、貯蔵タンク１１内の薬剤を排出させるノズル加圧手段１２の第二実施形態を示す。
これらの図に示すノズル加圧手段１２の第二実施形態は、第１剤と第２剤の薬剤の混合を円滑に行なうと同時に、薬剤の漏れを防ぎ第１剤と第２剤の薬剤を定量に排出できるように構成したものである。
【００２４】
このノズル加圧手段１２は、図８に示すように、貯蔵タンク１１の各栓１１ｃが挿入できるように、栓１１ｃと対応する案内穴１４ａを貫通させて貯蔵タンク１１の出口部分に組立てるハウジング２９と、ハウジング２９内に納められ貯蔵タンク１１の各ノズル１１ｂと繋がれる一対のブロック３０，３０と、一対のブロック３０，３０の間に挟み込まれて第１剤と第２剤の薬剤を集める集液部材３１と、集液部材３１で混合された薬剤をブラシヘッド１３の薬剤排出ブラシ４１に形成された出口４１ｂ（図１４，図１５参照）に案内する案内パイプ３２と、集液部材３１を下方に移動させて薬剤を排出させる押えボタン３３と、集液部材３１が下方に移動するときに、集液部材３１が傾かないように支える支え部材３４とを備えている。
【００２５】
一対のブロック３０は、図８に示すように、上端部外側面（隅部）に収容溝３０ａが形成されている。この収容溝３０ａには集液部材３１のアーム３５の端部が挿入され、これによって、ブロック３０は集液部材３１に堅固に固定されるようになっている。
そして、ブロック３０は、図３〜図７で示した第一実施形態の場合と同様、貯蔵タンク１１のノズル１１ｂから排出される薬剤が流れるようにブロック底面側から側面側に連通する案内流路１９が形成されている。
案内流路１９のブロック底面側の入口には各貯蔵タンク１１のノズル１１ｂが挿入されるとともに、ブロック側面側の出口には排出管２０が突設され、この排出管２０が集液部材３１に繋がれるようになっている。
【００２６】
集液部材３１は、一対のブロック３０に対応して両側に突設されたアーム３５，３５を有しており、このアーム３５の各端部底面には、対応するブロック３０の収容溝３０ａに挿入される掛け顎３５ａが設けられている。この掛け顎３５ａがブロック３０の収容溝３０ａに挿入されることにより、ブロック３０と集液部材３１の連結が不用意に外れることがなくなり、薬剤の漏出が防止される。
また、集液部材３１は、図８に示すように、一対の各ブロック３０の排出管２０に対応して、ボディ両側面に通路３６ａ，３６ｂが形成され、この通路３６ａ，３６ｂが、ボディ上面側に半円形状に大きく開口する出口３７まで連通している。これにより、一対のブロック３０を通じて流れる薬剤が通路３６ａ，３６ｂを通って出口３７に集められる。
【００２７】
ここで、集液部材３１の出口３７は、図８に示すように、半円形状に形成され、また、出口３７とボディ両側面に連通する通路３６ａ，３６ｂは、図１１に示すように、平面から見て互いにずれるように形成されている。
このような構成により、一方の通路（例えば３６ａ）を通じて流入される薬剤は、出口３７の半円形部分を通じて回転し、他方の通路（例えば３６ｂ）を通じて流入される薬剤は、一方の通路を通じて流入された薬剤と混合された状態で共に回転する。これにより、第１剤及び第２剤の薬剤が円滑に混合され、混合率は更に高くなり、ブロック３０から通路３６ａ，３６ｂを通って出口３７に集められる薬剤の混合が円滑に行なわれることになる。
【００２８】
さらに、このように構成された集液部材３１では、図１０に示すように、出口３７は、一体的に連通されるブロック３０の案内流路２０及び案内パイプ３２の内径より径が拡大されており、案内流路２０と案内パイプ３２の内径は、出口３７より縮小されていることになる。これにより、薬剤が流入，排出される経路は、縮小管，拡大管、そして縮小管の順に構成されることになる。そして、集液部材３１の出口３７は、案内流路２０及び案内パイプ３２の内径より著しく大きくなり、また、縮小管と拡大管の境界部は、緩やかにならず突然に縮小又は拡大されることになる。
従って、薬剤の排出の際に、出口３７の圧力が案内流路２０より低くなることから、出口３７に送られた第１剤及び第２剤の薬剤は、圧力の低い出口３７で運動が活発になり、また、出口３７に流入された各薬剤は、出口３７の半円形状に沿って急速に回転するようになるので、二つの薬剤がうまく混合される。
【００２９】
案内パイプ３２は、図８に示すように、内径が集液部材３１の出口３７とブラシヘッド１３内に設けられた導管４０ｃ（図１４，図１５参照）より小さい直径とすることで、薬剤の流路として縮小管となるように構成し、また集液部材３１の出口３７とブラシヘッド１３の導管３３は、薬剤の流路として拡大管になるように構成する。このようにすると、上述のブロック３０と集液部材３１の場合と同様、案内パイプ３２を出口３７に組立てた状態で構成される薬剤の流路上に複数の縮小管と拡大管を設けることができ、薬剤の混合効率を更に高めることができる。
ここで、案内パイプ３２は、その下部に集液部材３１の出口３７に強制的な挟め込み方法等によって組立てられる挿入部３２ａが設けられており、この挿入部３２ａは、集液部材３１の出口３７が半円形状に形成されるのに対応して、半円形状に形成される。
【００３０】
押えボタン３３は、図８に示すように、上述したノズル加圧手段１２の第一実施形態における押えボタン１８と同様の構成と機能となっており（図３参照）、詳細な説明は省略する。
ここで、第二実施形態に係るノズル加圧手段１２では、図８に示すように、押えボタン３３の押圧操作によって、集液部材３１及びその両側に組立てられたブロック３０が下方に押圧される際に、均一に押圧されるように、集液部材３１を支える支え部材３４は、ブラシヘッド１３のボディの内壁に引っ掛けて取り付けられるように構成する。
図８に示すように、支え部材３４は、板状部材の両端部が上方に折り曲げられて構成され、折り曲げ部の瑞部には段顎３９が設けられ、図１３ａ〜ｂに示すように、段顎３９がブラシヘッド１３のボディ内壁に突出させた掛け顎３８に掛けられて、支え部材３４はブラシヘッド１３に係止，固定されて取り付けられるようになっている。
【００３１】
このようにして、支え部材３４がブラシヘッド１３内の掛け顎３８に係止されることにより、押えボタン３３が押圧操作されて集液部材３１が下方に移動すると、支え部材３４との面接触により移動が止められる。
このように下降の際に集液部材３１が面接触の状態で止められることから、集液部材３１の両側に組立てられた一対のブロック３０は同一の距離で下方に降り、薬剤の貯蔵タンク１１のノズル１１ｂは同一の力で加圧されることになる。
従って、貯蔵タンク１１内に貯蔵された第１剤及び第２剤の薬剤は、排出される量が同一となり、使用者の希望のカラーで髪を染色できるようになる。
【００３２】
ブラシヘッド１３は、図１〜図３に示すように、ノズル加圧手段１２の上部を覆うように組立てられるボディ４０と、ボディ４０に脱着可能に組立てられて、案内パイプ１７又は３２と繋がれて薬剤を排出させる薬剤排出ブラシ４１とを有している。
ボディ４０は、髪に櫛を入れられるように、上部一側面に複数のブラシ歯４０ａが突設されるとともに、ブラシ歯４０ａが設けられる側面の中央部分には、薬剤排出用のブラシ歯４１が挿入される収納溝４０ｂが設けられている。
図６，図７，図１４に示すように、収納溝４０ｂとボディ下部の開口部の間には、収納溝４０ｂに薬剤が流れるように、導管４０ｃが設けられ、この導管４０ｃには、図１４，図１５に示すように、薬剤排出用のブラシ歯４１と対応する支管４０ｄが設けられている。
また、ボディ４０は、図６及び図１３に示すように、下部の一側壁に押えボタン１８，３３を突出させる案内穴Ｈが形成されている。
【００３３】
薬剤排出用のブラシ歯４１は、図１４，図１５に示すように、内部に薬剤が流入する通路４１ａが設けられるとともに、この通路４１ａの端部には少なくとも一つ以上の出口４１ｂが設けられている。これにより、貯蔵タンク１１からボディ４０に排出，流入された薬剤は、各ブラシ歯４１の通路４１ａを通って出口４１ｂからブラシ歯４１の外部に排出されることになる。
ここで、薬剤排出用のブラシ歯４１の出口４１ｂは、例えば、全ブラシ歯４１に均等に設けたり、各ブラシ歯４１ごとに等しい間隔で複数設けることができるが、薬剤の排出圧力を考慮してブラシ末端部（ブラシ上部）の方により多くの出口４１ｂを設けることが望ましい。
ボディ４０の導管４０ｃ及び薬剤排出用のブラシ歯４１の通路４１ａの内部では、ボディ４０の入口側（ブラシ下部側）の排出圧力が強く、末端部（ブラシ上部側）に行けば行くほど排出圧力は弱くなる。
【００３４】
そこで、図１４に示すように、ブラシ歯４１のボディ入口側からブラシほぼ中央部分までは、交互に出口４１ｂを設け、隣接するブラシ歯４１に連続して出口が形成されないようにしてある。そして、ブラシほぼ中央部から末端部（ブラシ上部側）のブラシ歯４１については、すべてのブラシ歯４１に出口４１ｂを形成するようにしてある。これにより、薬剤の排出圧力が高いブラシ入口側よりも、排出圧力が弱いブラシ上部側の方が、薬剤排出用の出口４１ｂの数が多くなり、ブラシ全体としては薬剤排出が均一に行われるようにすることができる。
以上のような構成からなる薬剤排出用のブラシ歯４１を、ブラシヘッド１３の支管４０ｄと対応させて収納溝４０ｂに組立てることにより、収納溝４０ｂを通じて流れる第１剤及び第２剤の薬剤が同時に排出されるようになる。
【００３５】
次に、以上のように構成された本考案の一実施形態に係る薬剤噴出装置付きブラシの動作（使用方法）について、図６ａ，図６ｂ又は図１３ａ，図１３ｂを参照して説明する。
図６ａ又は図１３ａに示す状態は、押えボタン１８又は３３の作動前の状態であり、押えボタン１８又は３３が単にブロック１５又は３０の上部に載せられている状態である。この状態から、本ブラシを使用して染色又は脱色を行なうために、使用者が押えボタン１８又は３３を押圧すると、図６ｂ又は図１３ｂに示すように、押えボタン１８又は３３の各レバー２８が回転し、ブロック１５又は３０を押圧する。これにより、ブロック１５又は３０は、図７に示す距離Ｌだけ下方に移動し、ブロック底面側に挿入された貯蔵タンク１１の各ノズル１１ｂが加圧される。
【００３６】
ノズル１１ｂが加圧されると、各貯蔵タンク１１に貯蔵された薬剤が排出され、ブロック１５又は３０の案内流路１９を通って集液部材１６又は３１の出口２４又は３７で混合され、続いて、案内パイプ１７及びブラシヘッド１３内の導管４０ｃを通って支管４０ｄを経由し、薬剤排出用のブラシ歯４１内に供給される。
ブラシ歯４１に供給された混合薬剤は、ブラシ歯４１の通路４１ａを通って出口４１ｂから外部に排出され、これによって、染色者又は脱色者の髪に供給される。
このとき、押えボタン１８又は３３を適宜選択的に加圧することで、その都度、二つの貯蔵タンク１１から排出された適量の第１剤及び第２剤の薬剤が集液部材１６又は３１で混合され、薬剤排出用のブラシ歯４１を通じて排出，供給され、染色又は脱色に必要となる適量の薬剤を排出，供給することができる。
【００３７】
以上、本考案の薬剤噴出装置付きブラシについて、好ましい実施形態を示して説明したが、本考案に係る薬剤噴出装置付きブラシは、上述した実施形態にのみ限定されるものではなく、本考案の範囲で種々の変更実施が可能であることは言うまでもない。
例えば、図１４及び図１５に示した薬剤噴出用のブラシ歯４１は、出口４１ｂが各ブラシ歯に一つずつ形成してあるが、これを各ブラシ歯に複数設けても良い。
また、図１４に示した例では、ボディ入口側からブラシほぼ中央部分まで、隣接するブラシ歯４１の交互に一つおきの間隔で出口４１ｂを形成したが、これを二つおきや三つおきに形成してもよく、また、ランダムな間隔で形成することもでき、全ブラシ歯に出口を形成することも妨げない。
【００３８】
【考案の効果】
以上説明したように、本考案に基づいた薬剤噴出装置付きブラシは、第１剤及び第２剤の各薬剤を使用して染色又は脱色を行う場合に、二種の薬剤を混合させた状態で同時にブラシ部分に排出させることができるので、一回の作業で染色又は脱色を容易に行えるようになる。
特に、混合薬剤が髪の深いところまで挿入される薬剤排出用のブラシ歯を通じて排出されるため、数回髪に櫛を入れることで自動に染色又は脱色が行われ、染色又は脱色をより簡単に行えるようになる。
これにより、従来の染色装置等に比べて優れた効果を発揮する長所を持ったブラシを提供することができる。
【図面の簡単な説明】
【図１】本考案の一実施形態に係る薬剤噴出装置付きブラシの斜視図である。
【図２】本考案の一実施形態に係る薬剤噴出装置付きブラシの正面図である。
【図３】本考案の第一実施形態に係るノズル加圧手段の分解斜視図である。
【図４】本考案の第一実施形態に係るノズル加圧手段の組立正面断面図である。
【図５】本考案の第一実施形態に係るノズル加圧手段の集液部材の排出管をずらして設けた状態を示す要部断面図である。
【図６ａ】本考案の第一実施形態に係るノズル加圧手段の作動状態図であり、押えボタンの操作前の状態における側面断面図である。
【図６ｂ】本考案の第一実施形態に係るノズル加圧手段の作動状態図であり、押えボタンの操作により薬剤を排出させている状態における側面断面図である。
【図７】本考案の第一実施形態に係るノズル加圧手段において、押えボタンの操作により薬剤を排出させている状態における正面断面図である。
【図８】本考案の第二実施形態に係るノズル加圧手段の分解斜視図である。
【図９】本考案の第二実施形態に係るノズル加圧手段の組立斜視図である。
【図１０】本考案の第二実施形態に係るノズル加圧手段の組立正面断面図である。
【図１１】本考案の第二実施形態に係るノズル加圧手段において、集液部材の通路をずらして設けた状態を示す平面断面図である。
【図１２】本考案の第二実施形態に係るノズル加圧手段の集液部材の正面断面図である。
【図１３ａ】本考案の第二実施形態に係るノズル加圧手段の作動状態図であり、押えボタンの操作前の状態における側面断面図である。
【図１３ｂ】本考案の第二実施形態に係るノズル加圧手段の作動状態図であり、押えボタンの操作により薬剤を排出させている状態における側面断面図である。
【図１４】本考案の一実施形態に係る薬剤排出ブラシを示す組立断面図である。
【図１５】図１４における円内部の拡大図である。
【符号の説明】
１０　薬剤噴出装置付きブラシ
１１　貯蔵タンク
１２　ノズル加圧手段
１３　ブラシヘッド
１４　ハウジング
１５　ブロック
１６　集液部材
１７　案内パイプ
１８　押えボタン
３０　ブロック
３１　集液部材
３２　案内パイプ
３３　押えボタン
４０　ボディ
４０ｂ　収納溝
４１　薬剤排出用のブラシ歯
４１ａ　通路
４１ｂ　出口
【図１】
0003097586.tif 000003
【図２】
0003097586.tif 000004
【図３】
0003097586.tif 000005
【図４】
0003097586.tif 000006
【図５】
0003097586.tif 000007
【図６ａ】
0003097586.tif 000008
【図６ｂ】
0003097586.tif 000009
【図７】
0003097586.tif 000010
【図８】
0003097586.tif 000011
【図９】
0003097586.tif 000012
【図１０】
0003097586.tif 000013
【図１１】
0003097586.tif 000014
【図１２】
0003097586.tif 000015
【図１３ａ】
0003097586.tif 000016
【図１３ｂ】
0003097586.tif 000017
【図１４】
0003097586.tif 000018
【図１５】
0003097586.tif 000019